(57)【特許請求の範囲】
【請求項１】
物品を吊下げて陳列する陳列用吊下げ具であって、
物品が吊下げられる長尺状の吊下げ部と、
前記吊下げ部の基端に設けられ、前記吊下げ部を陳列ボードに挿入させない平板部と、
前記平板部の前記吊下げ部と反対の側に設けられた固定部と、
前記陳列ボードに対して前記吊下げ部と反対側に設けられ前記固定部の上下の移動を抑止する係止具とを備え、
前記固定部は、前記吊下げ部の長尺方向に交差する挿入方向に前記係止具が挿入される孔部が形成されたものであることを特徴とする、陳列用吊下げ具。
【請求項２】
前記孔部は、前記吊下げ部の基端から先細りの形状を有することを特徴とする、請求項１に記載の陳列用吊下げ具。
【請求項３】
前記吊下げ部は、前記挿入方向に曲がる先端を有することを特徴とする、請求項１又は２に記載の陳列用吊下げ具。
【請求項４】
物品を吊下げて陳列する陳列用具であって、
請求項１〜３のいずれか一項に記載の陳列用吊下げ具と、
前記固定部が挿入される開口が設けられたボードと、
前記開口に挿入される前記固定部の孔部に挿入される前記係止具と、
を備えることを特徴とする、陳列用具。
【請求項５】
前記固定部は、前記ボードに設けられた前記開口の周縁部に接触して支持される支持部を有することを特徴とする、請求項４に記載の陳列用具。
【請求項６】
前記開口は、前記ボード上の前記交差する方向に複数並設され、
前記係止具は、前記複数の開口のうちの少なくとも２つの開口の離間距離より長い長尺状部材であることを特徴とする、請求項４又は５に記載の陳列用具。
【請求項７】
前記係止具の上側に紐取付け機構を有することを特徴とする、請求項６に記載の陳列用具。
【請求項８】
前記ボードと前記係止具とを圧止するクリップを備え、前記クリップは前記ボードの前記係止具側に紐取付け機構を有することを特徴とする、請求項６に記載の陳列用具。
【発明の詳細な説明】
【技術分野】
【０００１】
本発明は、陳列用吊下げ具及び陳列用具に係り、特に物品を吊下げて陳列する陳列用吊下げ具及び陳列用吊下げ具を備える陳列用具に関する。
【背景技術】
【０００２】
商品（物品とも呼ぶ）を販売する場において、商品を吊下げる陳列用吊下げ具（フックとも呼ぶ）及びこのフックを台紙（ボードとも呼ぶ）に固定して複数の商品を陳列する陳列用具が使われている。フックを台紙に固定する方法の多くは図８の（Ａ）か（Ｂ）である。（Ａ）は台紙１の裏面よりフックの受部１０ａを差込み、フック１０を受部１０ａに差込むことにより固定するタイプであり、（Ｂ）は台紙１の表面よりフック１０の上部を差込み、下部の引っかかりを台紙に無理矢理に差込み固定するものである。いずれも、開口の周縁１ａでフック１０及びフックに掛けられた商品の全重量を支える。
また、特許文献１では、ボードに設けられた開口に基端を通し、回転する又は開口に連接するスリット内にスライドすることで、開口又はスリットの周縁の台紙に係止される係止部が形成されたフック、及びこのフックが固定されるボードを含む陳列用具が開示されている。
しかし、図８及び特許文献１の構成のフック及び陳列用具では、フック及びフックに掛けられた商品の全重量がボードのうち開口の周縁のみにかかる。このためフックが固定されるボード（の開口部分）が、フックに吊下げて陳列される商品の重量に耐えられず、フック吊下げ箇所において破損するという問題がある。
このため、ボードを厚紙として強度を保つことが行われていた。しかし、このことに起因して、以下の問題が発生していた。（１）フックをボードの厚みに対応して何種類も製造する必要があった。（２）紙製ボードが廃棄されることとなるが、厚みの分だけ多くの森林資源を使用しており、二酸化炭素排出量削減の要請に逆行するものであった。（３）廃棄の際に可燃性のボードと不燃性のフックを分別する必要があるが、フックがボードから取りはずしにくいため、分別があまり行われていなかった。（４）厚紙でなければ、ボードを折ったり曲げたりの等の装飾的効果を得られるが、それを得ることが出来なかった。
【先行技術文献】
【特許文献】
【０００３】
【特許文献１】特開２０１１−２５５０８３号公報
【発明の概要】
【発明が解決しようとする課題】
【０００４】
本発明は、物品を吊下げて陳列する陳列用吊下げ具（フック）を十分な強度でボードに固定することのできる陳列用具を提供すること、及びその陳列用具を構成する陳列用吊下げ具を提供することを課題とする。
また、発明の実施の形態によって、薄いボードを活用できるようにすること、及びフックがボードから容易に取りはずせることを、副次的な課題とする。
【課題を解決するための手段】
【０００５】
本発明の陳列用吊下げ具は、物品を吊下げて陳列する陳列用吊下げ具であって、物品が吊下げられる長尺状の吊下げ部と、前記吊下げ部の基端に設けられ前記吊下げ部を陳列用具に挿入させない平板部と、前記平板部の前記吊下げ部と反対の側に設けられた固定部と、前記陳列ボードに対して前記吊下げ部と反対側に設けられ前記固定部の上下の移動を抑止する係止具と、を備えることを特徴とする。
これによれば、陳列用吊下げ具が係止具に支持される。それにより、吊下げ部に加わる交差する方向の物品の重みが係止具に支えられ、台紙の開口部に集中しない。薄手の台紙でも十分な強度が得られる。台紙として、紙以外のフィルム素材など、任意のシート状のものを用いることができる。
【０００６】
本発明の陳列用吊下げ具は、前記固定部は、前記吊下げ部の長尺方向に交差する挿入方向に前記係止具が挿入される孔部が形成されたものであることを特徴とする。
これによれば、固定部に形成された孔部に係止具を交差する方向に挿入することで、陳列用吊下げ具が係止具に支持される。
【０００７】
本発明の陳列用吊下げ具は、前記孔部は、前記吊下げ部の基端から先細りの形状を有することを特徴とする。
これによれば、係止具に対して陳列用吊下げ具の向きが固定されるとともに、吊下げ具に加わる交差する方向の重みに対して十分な強度が得られる。
【０００８】
本発明の陳列用吊下げ具は、前記孔部は、前記交差する方向に延伸することを特徴とする。
これによれば、固定部に形成された孔部に挿入される係止具に支持されることで、吊下げ具に加わる交差する方向の重みに対して十分な強度が得られる。
【０００９】
本発明の陳列用吊下げ具は、前記吊下げ部は、前記挿入方向に曲がる先端を有することを特徴とする。
これによれば、物品を、落下することなく安定に吊下げ部に吊下げることができる。
【００１０】
本発明の陳列用具は、物品を吊下げて陳列する陳列用具であって、本発明の陳列用吊下げ具と、前記固定部が挿入される開口が設けられたボードと、前記開口に挿入される前記固定部の孔部に挿入される前記係止具と、を備えることを特徴とする。
これによれば、陳列用吊下げ具の固定部をボードの開口に挿入し、その固定部に形成された孔部に係止具を交差する方向に挿入することで、陳列用吊下げ具を、吊下げ部に加わる交差する方向の物品の重みに対して十分な強度でボードに固定することができる。
【００１１】
本発明の陳列用具は、前記固定部は、前記ボードに設けられた前記開口の周縁部に接触して支持される支持部を有することを特徴とする。
これによれば、支持部が開口の周縁部に接触して支持されることで、陳列用吊下げ具がボードに安定に固定される。
【００１２】
本発明の陳列用具は、前記開口は、前記ボード上の前記交差する方向に複数並設され、前記係止具は、前記複数の開口のうちの少なくとも２つの開口の離間距離より長い長尺状部材であることを特徴とする。
これによれば、１つの係止具により複数の陳列用吊下げ具がボードに固定される。
【００１３】
本発明の陳列用具は、前記係止具の上側に紐取付け機構を有することを特徴とする。
これによれば、ボードに紐取付け機構を設けずに陳列用具を吊下げることができ、前面からの美観が優れたものとなる。また、紐によって係止具を吊下げるので、係止具にかかる分の重量を台紙によらずに支えることができる。台紙にかかる重量が小さくなる。
【００１４】
本発明の陳列用具は、前記ボードと前記係止具とを圧止するクリップを備え、前記クリップは前記ボードの前記係止具側に紐取付け機構を有することを特徴とする。
これによれば、紐取付け機構を有さない係止具であってもボードに紐取付け機構を設けずに陳列用具を吊下げることができる。
【発明の効果】
【００１５】
本発明の陳列用吊下げ具及び陳列用具によれば、薄い紙製のボードであっても、十分な強度で物品を吊下げて陳列することが可能となる。
【図面の簡単な説明】
【００１６】
【図１】図１は、陳列用具の全体構成を示す斜視図である。
【図２】図２は、ボードの構成を示す斜視図である。
【図３】図３（Ａ）及び（Ｂ）はフック（それぞれ先端側及び基端側）の構成を示す斜視図、並びに図３（Ｃ）はフックの組み立て方を説明するための斜視図である。
【図４】図４は、フックをボードに固定する方法を説明するための図である。
【図５】図５は、フックをボードに固定する固定機構を示す斜視図である。
【図６】図６は、陳列用吊下げ具及び陳列用具を含む全体構成を示す斜視図である。
【図７】図７（Ａ）は紐取付け機構を有するクリップを示す図、図７（Ｂ）は紐取付け機構を有する係止具を示す図である。
【図８】図８は、従来の陳列用具における陳列用吊下げ具の取付け方を示す図である。
【発明を実施するための形態】
【００１７】
以下、本発明の一実施形態を、図１〜図７を用いて説明する。
【００１８】
図１に、本実施形態の陳列用具１の全体構成を示す。陳列用具１は、台紙（ボードとも呼ぶ）２０、複数の陳列用吊下げ具（フックとも呼ぶ）１０、係止具３０（図４等参照。）から構成される。図１に示す状態では、３つのフック１０がボード２０に固定されている。
【００１９】
図２に、ボード２０の構成を示す。ボード２０は、例えば幅３０ｃｍ及び高さ５０ｃｍの矩形状の台紙である。なお、ボード２０は、本実施形態では紙製とするが、樹脂、金属等から構成してもよい。ボード２０には、縦３列及び横２列の計６の矩形状の開口２０ａが並設されている。後述するように、開口２０ａ内にフック１０の基端が挿入され、そのフック１０がボード２０に固定される。ボード２０の上部に穴を開け紐（不図示）の両端をそれぞれ留め、その紐部材を陳列棚の側面等に掛けることで、ボード２０（陳列用具１）を陳列棚に掛けることができる。
【００２０】
図において、係止具３０を、ボードに合わせて示した。ボード２０が紙材によるとき、その紙材の端部を切断し、折り曲げて係止具３０とすることができる。三角柱、四角柱等の柱状に係止具３０を構成すれば、十分な強度を有し、反りも発生しない。
【００２１】
図３（Ａ）及び（Ｂ）に、フック１０（それぞれ先端側及び基端側）の構成を示す。フック１０は、吊下げ部１１と固定部１２とから構成される。吊下げ部１１と固定部１２は、いずれもＡＢＳ樹脂等の樹脂から構成されている。
【００２２】
吊下げ部１１は、長尺状（棒状）の部材１１ａを有し、その胴部に商品が吊下げられる。部材１１ａの先端は、その胴部に対して上向きに曲げられている。それにより、商品を、落下することなく安定に吊下げ部１１（部材１１ａの胴部）に吊下げることができる。吊下げ部１１の基端には、半円形状の断面を有する座部１１ｂが形成されている（図３（Ｃ）参照）。座部１１ｂの両側面の中央には円形状の溝部１１ｂ０及び溝部１１ｂ０から座部１１ｂ外に連なるスリットが形成されている。
【００２３】
固定部１２は、平板部１２ａと、その表面側に突出する一対の突板部１２ｂと、裏面側に形成された筒状部１２ｃと、を有する。平板部１２ａは、ボード２０の開口２０ａより大きな矩形状を有する。平板部１２ａの裏面の周囲が開口２０ａの周縁に接触することで、固定部１２がボード２０上に安定に、すなわち一定の姿勢で支持される。一対の突板部１２ｂは、横方向に互いに対向し、長手を縦（高さ）方向に向けて、平板部１２ａの表面上に立設されている。互いに対向する突板部１２ｂの内面の中央には、吊下げ部１１の座部１１ｂに形成された溝部１１ｂ０に嵌入されるピン１２ｂ０が突設されている。筒状部１２ｃは、中央で屈曲し、両脚（両端）が横方向に離間して平板部１２ａの裏面に固定された板状の部材から形成されている。この板状の部材の内面と平板部１２ａの裏面とから、三角形状の断面を有し、縦（高さ）方向に延伸する孔部１２ｃ０が形成される。
【００２４】
フック１０の組み立て方について説明する。図３（Ｃ）に示すように、吊下げ部１１を、その先端を上方に向けて立てて、座部１１ｂの両側面に形成されたスリットを下方に向ける。この状態において、吊下げ部１１の座部１１ｂを上方から固定部１２の一対の突板部１２ｂの間に押し込む。それにより、一対の突板部１２ｂの内面に突設されたピン１２ｂ０が、それぞれスリットを介して座部１１ｂに形成された溝部１１ｂ０に嵌め入れられる。ピン１２ｂ０は溝部１１ｂ０内で回動可能である。そこで、フック１０（吊下げ部１１）を下方（矢印方向）に倒す。座部１１ｂの底面が固定部１２の平板部１２ａに当接することで、吊下げ部１１が平板部１２ａの表面に対して直交する方向に位置決めされる。
【００２５】
係止具３０は、筒状部１２ｃの孔部１２ｃ０の断面に等しい或いは若干小さい三角形状の断面を有する角柱状の部材である。その長さは、開口２０ａの高さよりも十分長く、ボード２０の高さより短い。本実施形態では、一例として、縦方向に並設された３つの開口２０ａの並設距離より長いものとする。係止具３０は、一例として紙製とする。また、ボード２０の紙材の端部を活用して（切り取り、折り曲げて）係止具３０を生産することもできる。
【００２６】
陳列用具１の組み立て方、すなわち係止具３０を用いてフック１０をボード２０に固定する方法について説明する。
【００２７】
まず、図４（Ａ）に示すように、フック１０の固定部１２（筒状部１２ｃ）をボード２０の開口２０ａにその表側から挿入する。ここで、固定部１２の平板部１２ａの裏面をボード２０の開口２０ａの周縁に当接する。それにより、固定部１２が位置決めされ、一定の姿勢でボード２０上に支持される。このとき、固定部１２の筒状部１２ｃは、ボード２０の裏側から突出する。
【００２８】
次に、図４（Ｂ）に示すように、ボード２０の裏側から突出する筒状部１２ｃの孔部１２ｃ０内に、上方から係止具３０を挿入する。それにより、フック１０が係止具３０に係止され、ボード２０上に固定される。ここで、筒状部１２ｃの孔部１２ｃ０の断面形状は平板部１２ａの裏面上に底辺を有する三角形状であり、同様に孔部１２ｃ０に挿入される係止具３０の断面形状もボード２０の裏面に当接する一面上の底辺を有する三角形状である。孔部１２ｃ０と係止具３０とが非円形状の断面を有することで、係止具３０に対して固定部１２、すなわちフック１０の向きが固定される。さらに、図４（Ｃ）及び図５に示すように、係止具３０の側面３０ａがボード２０の裏面に密接する。それにより、ボード２０に対してフック１０の向きが固定される。それとともに、フック１０（吊下げ部１１）に加わる商品の重みに対して十分な強度が得られる。
【００２９】
最後に、図５に示すように、縦方向に並設された開口２０ａのそれぞれにフック１０の固定部１２（筒状部１２ｃ）を挿入し、それぞれの筒状部１２ｃの孔部１２ｃ０内に、上側のフック１０から順に係止具３０を挿入する。それにより、１つの係止具３０により３つのフック１０がボード２０上に固定される。なお、係止具３０を引き抜くことで、フック１０をボード２０から容易に取り外すことができる。
【００３０】
この際、１つの固定部１２を複数の開口２０ａに挿入することで、強度が増し、安定した使用が可能となる。図６は、陳列用吊下げ具及び陳列用具を含む全体構成を示す斜視図である。係止具３０と固定部１２とによって台紙が挟まれる。係止具３０の大きさを変えることにより、台紙の厚みをも変えることができる。
【００３１】
図７（Ａ）は、紐取付け機構を有するクリップを示す図である。かかるクリップは、係止具３０と台紙とを合わせた厚みにより安定して装着される。係止具３０が存在する本発明の陳列用具の特徴を生かしたものである。クリップ５０には紐取付け機構５１があり、紐取付け機構５１に紐４０を挿入して、ボード２０に孔を開けずに陳列用具を吊下げることができる。
【００３２】
図７（Ｂ）は紐取付け機構を有する係止具を示す図である。クリップ５０を用いずに、係止具３０に紐取付け機構３１を設けることもできる。紐取付け機構３１に紐４０を挿入して係止具３０を吊下げれば、係止具にかかる分の重量を台紙によらずに支えることができる。
係止具３０にストッパ３２を設けて、台紙に下向きの力が加わった場合に台紙が下方に抜けてしまうことを防止できる。
【００３３】
以上詳細に説明したように、本実施形態の陳列用具１は、商品が吊下げられる長尺状の吊下げ部１１と、その基端に設けられた固定部１２と、を備えるフック１０と、固定部１２（筒状部１２ｃ）が挿入される開口２０ａが設けられたボード２０と、固定部１２（筒状部１２ｃ）を係止する係止具３０と、から構成される。それにより、フック１０の固定部１２をボード２０の開口２０ａに挿入し、その固定部１２の孔部１２ｃ０に係止具３０を挿入することで、ボード２０の厚さによらず、フック１０をそれに加わる商品の重みに対して十分な強度でボード２０に固定することができる。
【００３４】
なお、本実施形態の陳列用具１においては、吊下げ部１１の長尺方向に交差する方向に係止具３０が挿入される孔部１２ｃ０が設けられているが、係止具３０による陳列用具１（固定部１２）の固定は、孔によらず、固定部１２の凸部に係止具３０を咬合させる等の他の方法であってもよい。
【００３５】
また、本実施形態のフック１０及び陳列用具１では、フック１０の筒状部１２ｃ（孔部１２ｃ０）は、吊下げ部１１（部材１１ａの胴部）に対して交差する方向、望ましくは直交する方向（鉛直方向）に延伸する。これにより、フック１０（吊下げ部１１）に加わる鉛直方向の商品の重みに対して十分な強度が得られる。また、ボード２０として薄いものを採用することができる。
ボード２０の厚みについては、１種のフック１０によって幅広く対応できる。平板部１２ａと係止具３０とによってボード２０を挟むが、平板部１２ａと係止具３０との距離が（例えば係止具３０の形状又は弾性によって）調整可能である。
【００３６】
また、本実施形態の陳列用具１は、フック１０とボード２０と係止具３０とから簡素に構成されているため製造が容易である。特にフック１０の固定部１２の構成が簡素であることから、同一の構成のフック１０を厚さの異なるボード２０に固定することができる。また、それら構成各部の素材が限定されているため、廃棄の際の分別処理も容易である。
【００３７】
なお、本実施形態では、筒状部１２ｃの孔部１２ｃ０の断面形状を三角形としたが、これに限らず、平板部１２ａの裏面上に底辺を有する先細りの形状であれば、例えば半円形等の任意の断面形状を採用することができる。また、孔部１２ｃ０に挿入される係止具３０の断面形状を三角形としたが、これに限らず、ボード２０の裏面に当接する一面上に底辺を有する先細りの形状であれば、例えば半円形等の任意の断面形状を採用することができる。これにより、ボード２０に対してフック１０の向きが固定されるとともに、フック（吊下げ部１１）に加わる商品の重みに対して十分な強度が得られる。
【００３８】
また、係止具３０の長さは、ボード２０上に固定するフック１０の数に応じて適当な長さのものを複数備えることとしてもよい。１つのフック１０のみをボード２０に固定する場合、開口２０ａの高さよりも長く定める。複数のフック１０を並べてボード２０に固定する場合、それらの複数の開口２０ａの並設距離より長く定めることとする。それにより、１つの係止具３０により適当数のフック１０がボード２０上に固定される。
【００３９】
また、本実施形態の陳列用具１では、フック１０の吊下げ部１１が固定部１２に対して倒立可能に構成されているが、これに限らず吊下げ部１１を固定部１２に一体的に形成することとしてもよい。
【産業上の利用可能性】
【００４０】
本発明の陳列用吊下げ具及び陳列用具は、十分な強度で商品を吊下げて陳列するのに好適である。しかも、陳列用吊下げ具が簡単に取り外し可能で、多くの店舗、商品製造者による利用が考えられる、
【符号の説明】
【００４１】
１      陳列用具（台紙）
１０    フック
１１    吊下げ部
１１ａ  部材
１１ｂ  座部
１１ｂ０  溝部
１２    固定部
１２ａ  平板部
１２ｂ  突板部
１２ｂ０  ピン
１２ｃ  筒状部
１２ｃ０  孔部
２０    ボード
２０ａ  開口
２０ｂ  孔部
３０    係止具
３０ａ  側面
３１    紐取付け機構
３２    ストッパ
４０    紐
５０    クリップ
５１    紐取付け機構
【要約】
【課題】商品を吊下げて陳列するフックを十分な強度でボードに固定することのできる陳列用具及びその陳列用具を構成するフックを提供する。
【解決手段】商品が吊下げられる長尺状の吊下げ部１１と、その基端に設けられ、吊下げ部１１の長尺方向に交差する方向（鉛直方向）に係止具３０が挿入される孔部１２ｃ０が形成された固定部１２と、を備えるフック１０と、固定部１２（筒状部１２ｃ）が挿入される開口２０ａが設けられたボード２０と、固定部１２（筒状部１２ｃ）の孔部１２ｃ０に挿入される係止具３０と、から陳列用具１が構成される。それにより、フック１０の固定部１２をボード２０の開口２０ａに挿入し、その固定部１２の孔部１２ｃ０に係止具３０を挿入することで、フック１０をそれに加わる商品の重みに対して十分な強度でボード２０に固定することができる。
【選択図】図５【図１】
0005611478.tif 000002
【図２】
0005611478.tif 000003
【図３】
0005611478.tif 000004
【図４】
0005611478.tif 000005
【図５】
0005611478.tif 000006
【図６】
0005611478.tif 000007
【図７】
0005611478.tif 000008
【図８】
0005611478.tif 000009